(57)【特許請求の範囲】
【請求項１】
互いに異なる帯域を有する複数の受信信号それぞれでダウン変換する信号を選択して出力するＲＦフィルタ部、
前記フィルタ部の出力信号が相対的に時間遅延を有するように２つのサンプラーを利用してダウン変換することによって、位相差を有する２つのサンプル信号を生成し、出力する位相変換部であって、前記位相差によって発生した位相遷移（ｓｈｉｆｔ）値は、前記互いに異なる帯域に応じて異なる、位相変換部、
前記２つのサンプル信号を離散信号からデジタル信号に変換する量子化部、および
前記位相差によって発生した異なる位相遷移値を用いて前記量子化部の出力信号から前記複数の受信信号に対応する複数の出力信号をそれぞれ分離して出力する信号分離部
を備え、
前記信号分離部は、
前記量子化部の出力信号のうちのいずれか１つの信号である第１信号を受信して第４出力信号を出力する第１インターポラント、
前記量子化部の出力信号のうちのいずれか１つの信号である第２信号を受信して第５出力信号を出力する第２インターポラント、
前記第４出力信号および前記第５出力信号を合わせる第１加算器、
第１加算器の加算結果を受信して前記第１出力信号を選択して出力する低域通過フィルタ、および
第１加算器の加算結果を受信して前記第２出力信号を選択して出力する高域通過フィルタ
を備えた受信装置。
【請求項２】
前記複数の受信信号は第１受信信号、第２受信信号、および第３受信信号を含み、前記複数の出力信号は前記第１受信信号に対応する第１出力信号、前記第２受信信号に対応する第２出力信号、および前記第３受信信号に対応する第３出力信号を含む請求項１に記載の受信装置。
【請求項３】
前記第１インターポラントのフィルタ係数値は、
周波数の絶対値が帯域幅よりも小さい場合には前記帯域幅の逆数であり、
その他の場合には０である請求項１に記載の受信装置。
【請求項４】
前記第２インターポラントのフィルタ係数値は、
周波数が帯域幅の負の値と０との間である場合には、前記第３受信信号の負の周波数成分の位相遷移の負の値を前記帯域幅で割る値であり、
前記周波数が０と帯域幅との間である場合には、前記第３受信信号の正の周波数成分の位相遷移の負の値を前記帯域幅で割る値であり、
その他の場合には０である請求項１に記載の受信装置。
【請求項５】
前記第１出力信号は、
周波数が０と前記第１出力信号および前記第２出力信号の中心周波数との間である場合には１であり、
その他の場合には０である請求項１に記載の受信装置。
【請求項６】
前記第２出力信号は、
前記周波数が前記中心周波数とサンプリング周波数の二分の一の値との間である場合には１であり、
その他の場合には０である請求項５に記載の受信装置。
【請求項７】
前記信号分離部は、
前記第２信号を受信して第６出力信号を出力する第３インターポラント、および
前記第４出力信号および前記第６出力信号を合わせて前記第３出力信号を出力する第２加算器
をさらに備えた請求項１に記載の受信装置。
【請求項８】
前記第３インターポラントのフィルタ係数値は、
周波数がサンプリング周波数の二分の一の負の値と前記第１出力信号および前記第２出力信号の中心周波数の負の値との間である場合には、前記第２受信信号の負の周波数成分の位相遷移の負の値を帯域幅で割る値であり、
前記周波数が前記中心周波数の負の値と０との間である場合には、前記第１受信信号の負の周波数成分の位相遷移の負の値を前記帯域幅で割る値であり、
前記周波数が０と前記中心周波数との間である場合には、第１受信信号の正の周波数成分の位相遷移の負の値を前記帯域幅で割る値であり、
前記周波数が前記中心周波数と前記サンプリング周波数の二分の一の値との間である場合には、前記第２受信信号の正の周波数成分の位相遷移の負の値を帯域幅で割る値であり、
その他の場合には０である請求項７に記載の受信装置。
【請求項９】
前記位相変換部は、時間差を有するクロック信号を受信して前記位相差をそれぞれ発生させる第１サンプラーおよび第２サンプラーを含み、
前記量子化部は、前記第１サンプラーおよび前記第２サンプラーにそれぞれ対応する第１量子化部および第２量子化部を含む請求項１に記載の受信装置。
【請求項１０】
前記ＲＦフィルタ部は、少なくとも１つの帯域通過フィルタを含む請求項１に記載の受信装置。
【請求項１１】
受信装置が互いに異なる帯域を有する複数の受信信号を受信する方法であって、
前記複数の受信信号が相対的に時間遅延を有するように２つのサンプラーを利用してダウン変換することによって、位相差を有する２つのサンプル信号を生成し、出力するステップであって、前記位相差によって発生した位相遷移（ｓｈｉｆｔ）値は、前記互いに異なる帯域に応じて異なる、ステップ、
前記２つのサンプル信号を離散信号からデジタル信号に変換するステップ、および
前記位相差によって発生した位相遷移値を用いて前記デジタル信号に変換された前記複数のサンプル信号から前記複数の受信信号に対応する複数の出力信号をそれぞれ分離して出力するステップ
を備え、
前記複数の受信信号は第１受信信号、第２受信信号、および第３受信信号を含み、前記複数の出力信号は前記第１受信信号に対応する第１出力信号、前記第２受信信号に対応する第２出力信号、および前記第３受信信号に対応する第３出力信号を含み、
前記分離して出力するステップは、
前記デジタル信号に変換された前記複数のサンプル信号を含む第１信号を受信して第４出力信号を出力するステップ、
前記デジタル信号に変換された前記複数のサンプル信号がそれぞれ異なる位相遷移値を有して共存する第２信号を受信して第５出力信号を出力するステップ、
前記第４出力信号および前記第５出力信号を合わせるステップ、
前記合わせた結果から前記第１出力信号を選択して出力するステップ、および
前記合わせた結果から前記第２出力信号を選択して出力するステップ
を含む
受信方法。
【請求項１２】
前記第１信号を受信して第４出力信号を出力するステップは、
周波数の絶対値が帯域幅よりも小さい場合には前記帯域幅の逆数であり、
その他の場合には０であるフィルタ係数値に基づいて実行される請求項１１に記載の受信方法。
【請求項１３】
前記第２信号を受信して第５出力信号を出力するステップは、
周波数が帯域幅の負の値と０との間である場合には、前記第３受信信号の負の周波数成分の位相遷移の負の値を前記帯域幅で割る値であり、
前記周波数が０と帯域幅との間の場合には、前記第３受信信号の正の周波数成分の位相遷移の負の値を前記帯域幅で割る値であり、
その他の場合には０であるフィルタ係数値に基づいて実行される請求項１１に記載の受信方法。
【請求項１４】
前記第１出力信号は、
周波数が０と前記第１出力信号および前記第２出力信号の中心周波数との間である場合には１であり、
その他の場合には０である請求項１１に記載の受信方法。
【請求項１５】
前記第２出力信号は、
前記周波数が前記中心周波数とサンプリング周波数の二分の一の値との間である場合には１であり、
その他の場合には０である請求項１４に記載の受信方法。
【請求項１６】
前記分離して出力するステップは、
前記第２信号を受信して第６出力信号を出力するステップ、および
前記第４出力信号および前記第６出力信号を合わせて前記第３出力信号を出力するステップ
を含む請求項１１に記載の受信方法。
【請求項１７】
前記第２信号を受信して第６出力信号を出力するステップは、
周波数がサンプリング周波数の二分の一の負の値と前記第１出力信号および前記第２出力信号の中心周波数の負の値との間である場合には、前記第２受信信号の負の周波数成分の位相遷移の負の値を帯域幅で割る値であり、
前記周波数が前記中心周波数の負の値と０との間である場合には、前記第１受信信号の負の周波数成分の位相遷移の負の値を前記帯域幅で割る値であり、
前記周波数が０と前記中心周波数との間である場合には、第１受信信号の正の周波数成分の位相遷移の負の値を前記帯域幅で割る値であり、
前記周波数が前記中心周波数と前記サンプリング周波数の二分の一の値との間である場合には、前記第２受信信号の正の周波数成分の位相遷移の負の値を帯域幅で割る値であり、
その他の場合には０であるフィルタ係数値に基づいて実行される請求項１６に記載の受信方法。
【発明の詳細な説明】
【技術分野】
【０００１】
本発明は、受信装置および受信方法に関する。
【背景技術】
【０００２】
無線通信システムの受信装置は、送信装置から伝送されるラジオ周波数（ｒａｄｉｏ  ｆｒｅｑｕｅｎｃｙ、ＲＦ）信号を、アンテナを介して受信して、フィルタリング、増幅、周波数変換、およびアナログデジタル変換などの過程を行う。
【０００３】
アナログ信号であるＲＦ信号を受信してこのような過程を実行する場合、サンプリング理論（ｓａｍｐｌｉｎｇ  ｔｈｅｏｒｅｍ）を適用するためには、少なくとも搬送波周波数（ｃａｒｒｉｅｒ  ｆｒｅｑｕｅｎｃｙ）の２倍以上のサンプリング周波数が必要となる。しかしながら、一般に信号が存在する帯域幅は搬送波周波数の０．０３〜２％に過ぎないため、受信処理過程が極めて非効率的であり、処理するデータ量が過度となる。
【０００４】
これを解決するために、帯域通過サンプリング（ｂａｎｄ  ｐａｓｓ  ｓａｍｐｌｉｎｇ、ＢＰＳ）方式が用いられている。このようなＢＰＳ受信方式は、周波数の搬送波周波数に依存せずに信号の帯域幅によってサンプリング周波数が決定されるため、効率的なシステム設計が可能となる。このように入力信号をデジタル信号で処理する技術であって、少ない帯域幅を用いるＢＰＳ受信方式を、デジタル直接変換方式またはＲＦ直接変換方式という。また、ＢＰＳ受信方式を、アルゴリズム的には、帯域通過サンプリング（ｂａｎｄ  ｐａｓｓ  ｓａｍｐｌｉｎｇ）、高調波サンプリング（ｈａｒｍｏｎｉｃ  ｓａｍｐｌｉｎｇ）、またはサブサンプリング（ｓｕｂ−ｓａｍｐｌｉｎｇ）という。
【０００５】
このようなＢＰＳ受信方式は、ナイキストレート（Ｎｙｑｕｉｓｔ  ｒａｔｅ）よりも低いサンプリング周波数を用いて故意的にエイリアシング（ａｌｉａｓｉｎｇ）を発生させる方式であって、情報の帯域幅に依存したサンプリング比率を有する。また、ＢＰＳ受信方式は、アナログダウン変換機能をサンプリングによって代置できるという理論に基づいており、受信信号を低雑音増幅器（ｌｏｗ  ｎｏｉｓｅ  ａｍｐｌｉｆｉｅｒ、ＬＮＡ）を経た後すぐにサンプリングをするため、低価および小型の受信装置を実現することができる。
【０００６】
ＢＰＳ受信方式の受信装置は、搬送波周波数と信号帯域幅の関係が整数比（ｉｎｔｅｇｅｒ  ｐｏｓｉｔｉｏｎ）である信号を帯域幅の２倍である最小サンプル率によりダウン変換することができるが、非整数比（ｎｏｎ−ｉｎｔｅｇｅｒ  ｐｏｓｉｔｉｏｎ)である信号を帯域幅の２倍よりも大きい最小サンプル率でダウン変換することができる。しかしながら、サンプリング周波数は信号帯域の位置に応じて異なるため、ＢＰＳ受信方式の受信装置は普遍的アクセス（ｕｎｉｖｅｒｓａｌ  ａｃｃｅｓｓ）のために信号の帯域幅と帯域の位置に応じてサンプル率を変更しなければならず、これによって受信装置のフィルタの帯域幅も可変させなければならないという困難がある。
【０００７】
一方、最近では、信号が相対的に遅延時間を有するように２つの経路を利用してサンプリングした後、信号処理によってエイリアシングを除去する方式の受信装置が提案された。このような方式は、信号の位置に応じたエイリアシングを考慮せずにサンプル率を選択することができ、最小サンプリング周波数を信号の帯域幅と同じように選択することができる。しかしながら、入力信号のサンプル率が帯域幅である場合、受信装置が帯域幅でサンプリングする場合にエイリアシングが発生する。
【０００８】
また、このような受信装置は、主に１つのＲＦ信号をダウン変換することに主目的をおいている。受信しようとする帯域の１つのＲＦ信号と他の帯域のＲＦ信号を同時に受信して処理する場合に、他の帯域のＲＦ信号にはエイリアシングが発生する。すなわち、複数のＲＦ信号を受信して処理するとき、一般的にエイリアシングが発生する。
【先行技術文献】
【特許文献】
【０００９】
【特許文献１】韓国登録特許第０，７９３，０５９号明細書
【特許文献２】韓国公開特許第２００６−０１１６８２８号明細書
【特許文献３】米国公開特許第２００９−０１１６５８６号明細書
【発明の概要】
【発明が解決しようとする課題】
【００１０】
本発明は、無線通信の受信装置が少なくとも１つ帯域のＲＦ信号を同時に正常に受信して処理して、同時に他の帯域のＲＦ信号のダウン変換を効率的に実行することを目的とする。
【課題を解決するための手段】
【００１１】
本発明の実施形態に係る受信装置は、互いに異なる帯域を有する複数の受信信号からそれぞれダウン変換する信号を選択して出力するＲＦフィルタ部と、フィルタ部の出力信号の間に位相差を発生させながらフィルタ部の出力信号をダウン変換して複数のサンプル信号を出力する位相変換部と、複数のサンプル信号を離散信号からデジタル信号に変換する量子化部と、位相差によって発生した位相遷移値を用いて量子化部の出力信号から複数の受信信号に対応する複数の出力信号をそれぞれ分離して出力する信号分離部とを含む。
【００１２】
複数の受信信号は第１受信信号、第２受信信号、および第３受信信号を含み、複数の出力信号は第１受信信号に対応する第１出力信号、第２受信信号に対応する第２出力信号、および第３受信信号に対応する第３出力信号を含んでもよい。
【００１３】
信号分離部は、量子化部の出力信号のうちのいずれか１つの信号である第１信号を受信して第４出力信号を出力する第１インターポラントと、量子化部の出力信号のうちのいずれか１つの信号の第２信号を受信して第５出力信号を出力する第２インターポラントと、第４出力信号および第５出力信号を合わせる第１加算器と、第１加算器の加算結果を受信して第１出力信号を選択して出力する低域通過フィルタと、第１加算器の加算結果を受信して第２出力信号を選択して出力する高域通過フィルタとを含んでもよい。
【００１４】
第１インターポラントのフィルタ係数値は、周波数の絶対値が帯域幅よりも小さい場合には帯域幅の逆数であり、その他の場合には０であってもよい。
【００１５】
第２インターポラントのフィルタ係数値は、周波数が帯域幅の負の値と０との間である場合には、第３受信信号の負の周波数成分の位相遷移の負の値を帯域幅で割る値であり、周波数が０と帯域幅との間である場合には、第３受信信号の正の周波数成分の位相遷移の負の値を帯域幅で割る値であり、その他の場合には０であってもよい。
【００１６】
第１出力信号は、周波数が０と第１出力信号および第２出力信号の中心周波数との間である場合には１であり、その他の場合には０であってもよい。
【００１７】
第２出力信号は、周波数が中心周波数とサンプリング周波数の二分の一の値との間である場合には１であり、その他の場合には０であってもよい。
【００１８】
信号分離部は、第２信号を受信して第６出力信号を出力する第３インターポラントと、第４出力信号および第６出力信号を合わせて第３出力信号を出力する第２加算器とをさらに含んでもよい。
【００１９】
第３インターポラントのフィルタ係数値は、周波数がサンプリング周波数の二分の一の負の値と第１出力信号および第２出力信号の中心周波数の負の値との間である場合には、第２受信信号の負の周波数成分の位相遷移の負の値を帯域幅で割る値であり、周波数が中心周波数の負の値と０との間である場合には、第１受信信号の負の周波数成分の位相遷移の負の値を帯域幅で割る値であり、周波数が０と中心周波数との間である場合には、第１受信信号の正の周波数成分の位相遷移の負の値を帯域幅で割る値であり、周波数が中心周波数とサンプリング周波数の二分の一の値との間である場合には、第２受信信号の正の周波数成分の位相遷移の負の値を帯域幅で割る値であり、その他の場合には０であってもよい。
【００２０】
位相変換部は、時間差を有するクロック信号を受信して位相差を発生させる少なくとも１つのサンプラーを含んでもよい。
【００２１】
ＲＦフィルタ部は、少なくとも１つの帯域通過フィルタを含んでもよい。
【００２２】
本発明の他の実施形態に係る受信装置は、互いに異なる帯域の第１受信信号、第２受信信号、および第３受信信号をそれぞれ他の位相遷移（ｓｈｉｆｔ）値を有しながらダウン変換して第１受信信号に対応する第１出力信号、第２受信信号に対応する第２出力信号、および第３受信信号に対応する第３出力信号を出力する受信装置であって、周波数の絶対値が帯域幅よりも小さい場合には帯域幅の逆数を、その他の場合には０をフィルタ係数値として有して第４出力信号を出力する第１インターポラントと、周波数が帯域幅の負の値と０との間である場合には、第３受信信号の負の周波数成分の位相遷移の負の値を帯域幅で割る値を、周波数が０と帯域幅との間である場合には、第３受信信号の正の周波数成分の位相遷移の負の値を帯域幅で割る値を、その他の場合には０をフィルタ係数値として有して第５出力信号を出力する第２インターポラントと、第４出力信号および第５出力信号を合わせて第６出力信号を出力する第１加算器と、第６出力信号を受信して周波数が０と第１出力信号および第２出力信号の中心周波数との間である場合には１を、その他の場合には０を第１出力信号として出力する低域通過フィルタと、第６出力信号を受信して周波数が中心周波数とサンプリング周波数の二分の一の値との間である場合には１を、その他の場合には０を第２出力信号として出力する高域通過フィルタと、周波数がサンプリング周波数の二分の一の負の値と中心周波数の負の値との間である場合には、第２受信信号の負の周波数成分の位相遷移の負の値を帯域幅で割る値を、周波数が中心周波数の負の値と０との間である場合には、第１受信信号の負の周波数成分の位相遷移の負の値を帯域幅で割る値を、周波数が０と中心周波数との間である場合には、第１受信信号の正の周波数成分の位相遷移の負の値を帯域幅で割る値を、周波数が中心周波数とサンプリング周波数の二分の一の値との間である場合には、第２受信信号の正の周波数成分の位相遷移の負の値を帯域幅で割る値を、その他の場合には０をフィルタ係数値として有して第７出力信号を出力する第３インターポラントと、第４出力信号および第７出力信号を合わせて第３出力信号として出力する第２加算器とを含む。
【００２３】
本発明の他の実施形態に係る受信方法は、受信装置が互いに異なる帯域を有する複数の受信信号を受信する方法であって、複数の受信信号の間に位相差を発生させながら複数の受信信号をダウン変換して複数のサンプル信号を出力するステップと、複数のサンプル信号を離散信号からデジタル信号に変換するステップと、位相差によって発生した位相遷移値を用いてデジタル信号に変換された複数のサンプル信号から複数の受信信号に対応する複数の出力信号をそれぞれ分離して出力するステップとを含む。
【００２４】
複数の受信信号は第１受信信号、第２受信信号、および第３受信信号を含み、複数の出力信号は第１受信信号に対応する第１出力信号、第２受信信号に対応する第２出力信号、および第３受信信号に対応する第３出力信号を含み、分離して出力するステップは、デジタル信号に変換された複数のサンプル信号を含む第１信号を受信して第４出力信号を出力するステップと、デジタル信号に変換された複数のサンプル信号がそれぞれ異なる位相遷移値を有して共存する第２信号を受信して第５出力信号を出力するステップと、第４出力信号および第５出力信号を合わせるステップと、合わせた結果から第１出力信号を選択して出力するステップと、合わせた結果から第２出力信号を選択して出力するステップとを含んでもよい。
【００２５】
第１信号を受信して第４出力信号を出力するステップは、周波数の絶対値が帯域幅よりも小さい場合には帯域幅の逆数であり、その他の場合には０であるフィルタ係数値に基づいて実行されてもよい。
【００２６】
第２信号を受信して第５出力信号を出力するステップは、周波数が帯域幅の負の値と０との間である場合には、第３受信信号の負の周波数成分の位相遷移の負の値を帯域幅で割る値であり、周波数が０と帯域幅との間の場合には、第３受信信号の正の周波数成分の位相遷移の負の値を帯域幅で割る値であり、その他の場合には０であるフィルタ係数値に基づいて実行されてもよい。
【００２７】
第１出力信号は、周波数が０と第１出力信号および第２出力信号の中心周波数との間である場合には１であり、その他の場合には０であってもよい。
【００２８】
第２出力信号は、周波数が中心周波数とサンプリング周波数の二分の一の値との間である場合には１であり、その他の場合には０であってもよい。
【００２９】
分離して出力するステップは、第２信号を受信して第６出力信号を出力するステップと、第４出力信号および第６出力信号を合わせて第３出力信号を出力するステップとをさらに含んでもよい。
【００３０】
第２信号を受信して第６出力信号を出力するステップは、周波数がサンプリング周波数の二分の一の負の値と第１出力信号および第２出力信号の中心周波数の負の値との間である場合には、第２受信信号の負の周波数成分の位相遷移の負の値を帯域幅で割る値であり、周波数が中心周波数の負の値と０との間である場合には、第１受信信号の負の周波数成分の位相遷移の負の値を帯域幅で割る値であり、周波数が０と中心周波数との間である場合には、第１受信信号の正の周波数成分の位相遷移の負の値を帯域幅で割る値であり、周波数が中心周波数とサンプリング周波数の二分の一の値との間である場合には、第２受信信号の正の周波数成分の位相遷移の負の値を帯域幅で割る値であり、その他の場合には０であるフィルタ係数値に基づいて実行されてもよい。
【発明の効果】
【００３１】
本発明によれば、無線通信の受信装置が少なくとも１つの他の帯域のＲＦ信号を同時に正常に受信して処理することができ、ＲＦ信号のダウン変換を効率的に実行することができる。したがって、受信帯域の１つのＲＦ信号を正常に受信しながら、広帯域周波数領域でそれぞれ異なる帯域の２つＲＦ信号を探して全体的に３つのＲＦ信号を正常に受信することができる。さらに、それぞれ異なる周波数帯域に分けて送信された複数のＲＦ信号を同時に正常に受信することができる。
【図面の簡単な説明】
【００３２】
【図１】本発明の一実施形態に係る受信装置のブロック図である。
【図２】ＲＦ信号および図１に係る受信装置によってダウン変換された基底帯域信号を示す図である。
【図３】図２に示すＲＦ信号および図１の受信装置によって基底帯域でダウン変換されながら発生した位相遷移を示す図である。
【図４】本発明の一実施形態に係る受信装置が出力する３つの信号を示す図である。
【図５】本発明の一実施形態に係る受信装置の受信方法を示すフローチャートである。
【発明を実施するための形態】
【００３３】
以下、添付の図面を参照しながら、本発明の実施形態について本発明が属する技術分野において通常の知識を有する者が容易に実施できるように詳しく説明する。しかしながら、本発明を様々に相違した形態において具現することができ、ここで説明する実施形態に限定されるものではない。また、図面において本発明を明確に説明するために説明上で不必要な部分は省略し、明細書全体に渡って類似した部分については類似した図面符号を付与した。
【００３４】
明細書全体において、ある部分がある構成要素を「含む」とするとするとき、これは特に反対となる記載がない限り、他の構成要素を除くのではなく他の構成要素をさらに含むことを意味する。また、明細書に記載された「・・・部」、「・・・器」、「モジュール」などの用語は少なくとも１つの機能や動作を処理する単位を意味し、これは、ハードウェア、ソフトウェア、またはハードウェアおよびソフトウェアの結合で具現される。
【００３５】
次に、図面を参照しながら、本発明の一実施形態に係る受信装置および受信方法について詳細に説明する。
【００３６】
図１は本発明の一実施形態に係る受信装置のブロック図であり、図２はＲＦ信号および図１に係る受信装置によってダウン変換された基底帯域信号を示す図であり、図３は図２に示すＲＦ信号および図１の受信装置によって基底帯域でダウン変換されながら発生した位相遷移を示す図であり、図４は本発明の一実施形態に係る受信装置が出力する３つの信号を示す図である。
【００３７】
図１を参照すれば、受信装置１００は、アンテナを介して受信されるラジオ周波数（ｒａｄｉｏ  ｆｒｅｑｕｅｎｃｙ、ＲＦ）信号Ｒ0（ｆ）、Ｒ1（ｆ）、Ｒ2（ｆ）を受信して処理し、ダウン変換された信号Ｓ0、Ｓ1、Ｓ2を出力する装置である。
【００３８】
図２および図３を参照すれば、互いに異なる３つの帯域を有するＲＦ信号Ｒ0（ｆ）、Ｒ1（ｆ）、Ｒ2（ｆ）がサンプル率ｆｓの間隔で区分した周波数領域でそれぞれｎo、ｎ1、ｎ2番目の領域に位置すると仮定する。
【００３９】
本発明の一実施形態に係る受信装置１００は、ＲＦ信号Ｒ0（ｆ）、Ｒ1（ｆ）、Ｒ2（ｆ）が位置する周波数領域が異なれば、ＲＦ信号Ｒ0（ｆ）、Ｒ1（ｆ）、Ｒ2（ｆ）がダウン変換されて現れる位相遷移がそれぞれ異なって発生するという点を利用し、互いに異なる帯域の３つの信号を分離して出力する。すなわち、３つのＲＦ信号Ｒ0（ｆ）、Ｒ1（ｆ）、Ｒ2（ｆ）がサブサンプリング（ｓｕｂ−ｓａｍｐｌｉｎｇ）されて基底帯域で重なってエイリアシングが発生する場合、位相遷移値β-n0、β-n1、β-n2が異なる点を利用してそれぞれの信号を分離することができる。
【００４０】
本発明の一実施形態に係る受信装置が出力する信号Ｓ0、Ｓ1、Ｓ2は、図４のように、ＲＦ信号Ｒ0（ｆ）、Ｒ1（ｆ）、Ｒ2（ｆ）がダウン変換されて互いに分離されて出力される信号である。
【００４１】
図４を参照すれば、周波数ｆ1を次の数式（１）のように信号Ｓ0、Ｓ1の中心周波数として定義する。
【００４２】
【数１】
0005468498.tif 000002
【００４３】
ここで、周波数ｆ0Hは信号Ｓ0の最高（ｈｉｇｈ  ｂｏｕｎｄ）周波数であり、周波数ｆ1Lは信号Ｓ1の最低（ｌｏｗ  ｂｏｕｎｄ）周波数である。
【００４４】
再び図１を参照すれば、受信装置１００は、ＲＦフィルタ部１１１、１１２、１１３と、位相変換部１２０と、クロック発生部１２５と、量子化部１３０と、信号分離部１４０とを含む。
【００４５】
ＲＦフィルタ部１１１、１１２、１１３それぞれは、アンテナが受信した互いに異なる帯域を有する３つのＲＦ信号Ｒ0（ｆ）、Ｒ1（ｆ）、Ｒ2（ｆ）を同時に受信してダウン変換するＲＦ信号を選択し、選択されたＲＦ信号の雑音およびエイリアシング（ａｉｌｉａｓｉｎｇ）を除去する。これにより、フィルタ部１１１、１１２、１１３は、チューナブル帯域通過フィルタ（ｔｕｎａｂｌｅ  ｂａｎｄ  ｐａｓｓ  ｆｉｌｔｅｒ）であってもよい。フィルタ部１１１、１１２、１１３は、それぞれ低雑音増幅器（ｌｏｗ  ｎｏｉｓｅ  ａｍｐｌｉｆｉｅｒ；ＬＮＡ）を含んでもよい。
【００４６】
位相変換部１２０は、予め設定されたサンプリング周波数ｆｓを用いてＲＦフィルタ部１１１、１１２、１１３で選択されたＲＦ信号をサンプル信号にダウン変換する。このとき、サンプリング周波数ｆｓは、少なくともＲＦ信号の帯域幅Ｂの２倍（２Ｂ）で設定してもよい。位相変換部１２０は、２つのサンプラー（ｓａｍｐｌｅｒ）１２１、１２２を含んでもよい。２つのサンプラー１２１、１２２は、ＴΔの時間差を有するクロック信号をクロック発生部１２５から受信してＴΔの時間差を有する２つのサンプル信号を生成することによって２つの信号間に位相差を発生させてもよい。
【００４７】
クロック発生部１２５は、互いに異なる時間差を有するクロック信号を生成する。クロック発生部１２５は、生成したクロック信号を位相変換部１２０および量子化部１３０に分配する。
【００４８】
量子化部１３０は、位相差を有する２つのサンプル信号をデジタル信号に変換して互いに異なる位相を有するサンプルストリームを生成し、これを信号分離部１４０に伝達する。
【００４９】
信号分離部１４０は、互いに異なる位相を有する２つのサンプルストリームを受信して２つのサンプルストリームの互いに異なる位相遷移値を利用し、３つの信号Ｓ0、Ｓ1、Ｓ2を分離して出力し、インターポラント１４２、１４３、１４４と、加算器１４５、１４６と、低域通過フィルタ（ｌｏｗ  ｐａｓｓ  ｆｉｌｔｅｒ）１４７と、高域通過フィルタ（ｈｉｇｈ  ｐａｓｓ  ｆｉｌｔｅｒ）１４８とを含む。
【００５０】
インターポラント１４２、１４３、１４４は、所望する信号のみを復元する一種のフィルタである。
【００５１】
加算器１４５を用いてインターポラント１４２、１４３の出力信号を加算して、低域通過フィルタ１４７および高域通過フィルタ１４８を用いて２つの信号Ｓo、Ｓ1を分離する。
【００５２】
加算器１４６を用いてインターポラント１４２、１４４の出力信号を加算して、信号Ｓ2を分離する。
【００５３】
インターポラント１４２のフィルタ係数値はＳA（ｆ）で表示されてもよく、次の数式（２）のように設計されてもよい。
【００５４】
【数２】
0005468498.tif 000003
【００５５】
すなわち、信号の周波数ｆの絶対値が帯域幅Ｂよりも小さい場合には、インターポラント１４２のフィルタ係数値は帯域幅の逆数であり、その他の場合には０である。
【００５６】
インターポラント１４３のフィルタ係数値はＳB1（ｆ）で表示されてもよく、次の数式（３）のように設計されてもよい。
【００５７】
【数３】
0005468498.tif 000004
【００５８】
すなわち、インターポラント１４３のフィルタ係数値は、周波数が帯域幅の負の値と０との間である場合には、ＲＦ信号Ｒ2（ｆ）の負の周波数成分の位相遷移の負の値を帯域幅で割る値であり、周波数が０と帯域幅との間である場合には、ＲＦ信号Ｒ2（ｆ）の正の周波数成分の位相遷移の負の値を帯域幅で割る値であり、その他の場合には０である。
【００５９】
インターポラント１４２、１４３を介して分離された２つの信号Ｓo、Ｓ1から信号Ｓoを分離するための低域通過フィルタ１４７はＳLP（ｆ）で表示されてもよく、次の数式（４）のように設計されてもよい。
【００６０】
【数４】
0005468498.tif 000005
【００６１】
すなわち、低域通過フィルタ１４７の出力値、すなわち、信号Ｓoは、周波数が０から中心周波数ｆ1の間である場合には１であり、その他の場合には０である。
【００６２】
インターポラント１４２、１４３を介して分離された２つの信号Ｓo、Ｓ1から信号Ｓ1を分離するための高域通過フィルタ１４８はＳHP（ｆ）で表示されてもよく、次の数式（５）のように設計されてもよい。
【００６３】
【数５】
0005468498.tif 000006
【００６４】
すなわち、高域通過フィルタ１４８の出力値、すなわち、信号Ｓ1は、周波数が中心周波数ｆ1とサンプリング周波数ｆsの二分の一の値との間である場合には１であり、その他の場合には０である。
【００６５】
インターポラント１４４のフィルタ係数値はＳB2（ｆ）で表示されてもよく、次の数式（６）のように設計されてもよい。
【００６６】
【数６】
0005468498.tif 000007
【００６７】
すなわち、インターポラント１４４のフィルタ係数値は、周波数がサンプリング周波数ｆsの二分の一の負の値と中心周波数ｆ1の負の値との間である場合には、ＲＦ信号Ｒ1（ｆ）の負の周波数成分の位相遷移の負の値を帯域幅で割る値であり、周波数が中心周波数ｆ1の負の値と０との間である場合には、ＲＦ信号Ｒ0（ｆ）の負の周波数成分の位相遷移の負の値を帯域幅で割る値であり、周波数が０と中心周波数ｆ1との間である場合には、ＲＦ信号Ｒ0（ｆ）の正の周波数成分の位相遷移の負の値を帯域幅で割る値であり、周波数が中心周波数ｆ1とサンプリング周波数ｆsの二分の一の値との間である場合には、ＲＦ信号Ｒ1（ｆ）の正の周波数成分の位相遷移の負の値を帯域幅で割る値であり、その他の場合には０である。
【００６８】
このように、数式（２）〜数式（６）のようにインターポラント１４２、１４３、１４４、低域通過フィルタ１４７、および高域通過フィルタ１４８を設計すれば、互いに異なる周波数帯域に位置した３つのＲＦ信号を相互間の干渉なく基底帯域で同時に受信が可能である。
【００６９】
また、信号Ｒ0（ｆ）、Ｒ1（ｆ）が受信しようとする信号であり、信号Ｒ2（ｆ）が干渉信号として存在する場合にも、受信信号から信号Ｒ2（ｆ）のみを除去して信号Ｒ0（ｆ）、Ｒ1（ｆ）を正常に受信することができる。
【００７０】
次に、図５を参照しながら、本発明の一実施形態に係る受信方法について詳細に説明する。
【００７１】
図５は本発明の一実施形態に係る受信装置１００の受信方法を示すフローチャートである。
【００７２】
図５を参照すれば、受信装置１００は、アンテナから互いに異なる帯域の３つのＲＦ信号を受信してダウン変換するＲＦ信号を選択することによってフィルタリングする（Ｓ５１０）。
【００７３】
次に、受信装置１００は、予め設定されたサンプリング周波数を利用してフィルタリングされたＲＦ信号をサンプル信号にダウン変換する（Ｓ５２０）。このとき、サンプル信号がそれぞれ互いに異なる位相差を有するように互いに異なる時間差を有するクロック信号を挿入してもよく、予め設定されたサンプリング周波数は帯域幅の２倍であってもよい。
【００７４】
その後、受信装置１００は、サンプル信号を離散信号からデジタル信号に変換する（Ｓ５３０）。
【００７５】
受信装置１００は、変換されたデジタル信号から互いに異なる帯域に存在する３つのダウン変換された信号を分離して出力する（Ｓ５４０）。このとき、上述した数式（２）〜数式（６）によって設計されたインターポラント、低域通過フィルタ、および高域通過フィルタを用いて３つの信号を互いに干渉なく分離して出力してもよい。
【００７６】
以上、本発明の実施形態について詳細に説明したが、本発明の権利範囲はこれに限定されるものではなく、特許請求の範囲で定義している本発明の基本概念を利用した当業者の多様な変形および改良形態も本発明の権利範囲に属する。
【符号の説明】
【００７７】
１００  受信装置
１１１、１１２、１１３  ＲＦフィルタ部
１２０  位相変換部
１２１、１２２  トラックアンドホルダー
１２５  クロック発生部
１３０  量子化部
１４０  信号分離部
１４２、１４３、１４４  インターポラント
１４５、１４６  加算器
１４７  低域通過フィルタ
１４８  高域通過フィルタ
【図１】
0005468498.tif 000008
【図２】
0005468498.tif 000009
【図３】
0005468498.tif 000010
【図４】
0005468498.tif 000011
【図５】
0005468498.tif 000012